(57)【要約】本発明は可溶性皮層と当該皮層を利用して製作した毛髪付き頭皮、及び当該皮層又は毛髪付き頭皮にて製作した頭皮の交換できるマネキン頭に関するものである。可溶性皮層は、成膜材料、可塑剤、消泡剤と助溶剤などからなる水溶性ゲルを用いて成形してなる。その水溶性ゲルにて製作した可溶性皮層の表面に植毛することにより皮層の熔解できる毛髪付き頭皮が作られる。毛髪付き頭皮を支持部材にセットすれば、美髪トレーニングに使用されるマネキン頭が作られる。そのマネキン頭の頭皮は使用後、水に溶かして処分でき且つリサイクルできる。そのため、環境保護に有利であるとともに、マネキン頭のコストも低減される。
2005530188.tif 000002
【特許請求の範囲】
【請求項１】
６〜１０重量パーセントの成膜材料と、３０〜８０重量パーセントの水と、０．６〜５．８重量パーセントの可塑剤と、０．２〜０．８重量パーセントの消泡剤と０．２〜１．２重量パーセントの助溶剤を含む水溶性ゲルを用いて成形されたことを特徴とする可溶性皮層。
【請求項２】
前記成膜材料はポリビニルアルコール、カルボキシメチルセルロース、酸化でんぷんあるいはそれらの１種以上の混合物を含み、前記可塑剤はグリセリン又はポリエチレングリコールを含み、前記消泡剤はリン酸トリブチル又はポリエチレングリコールを含み、前記助溶剤はビニルシラン類を含んでいることを特徴とする請求項１に記載の可溶性皮層。
【請求項３】
前記水溶性ゲルの組成と重量比は、ポリビニルアルコール６．０〜８．０、水４０〜５０、グリセリン３．５〜５．０、リン酸トリブチル０．４〜０．６、ビニルシラン０．６〜０．７であることを特徴とする請求項２に記載の可溶性皮層。
【請求項４】
前記水溶性ゲルの組成と重量比は、ポリビニルアルコール６．０〜８．０、水４０〜５０、グリセリン３．５〜５．０、ポリエチレングリコール０．２〜０．８、ビニルシラン０．６〜０．７であることを特徴とする請求項２に記載の可溶性皮層。
【請求項５】
前記ビニルシランは、ビニルトリス（β−メトキシエトキシ）シランであることを特徴とする請求項２に記載の可溶性皮層。
【請求項６】
前記ポリビニルアルコールのケン化度は８７％〜８９％であることを特徴とする請求項２に記載の可溶性皮層。
【請求項７】
請求項１〜６のいずれか一項に記載の可溶性皮層の製造方法であって、
原料を所定比率にて調合してからその溶解温度までに加熱し、均一的な水溶性ゲルを作る工程と、
前記水溶性ゲルをモールドの表面に成型させてから乾燥させる工程と
を備えたことを特徴とする可溶性皮層の製造方法。
【請求項８】
請求項７に記載の可溶性皮層の製造方法において、
前記成型乾燥工程は、皮層の厚さが所定要求に満たすまで複数回繰り返されることを特徴とする可溶性皮層の製造方法。
【請求項９】
請求項１〜６のいずれか一項に記載の可溶性皮層の表面に植毛してなることを特徴とする毛髪付き頭皮。
【請求項１０】
前記皮層の厚さは０．７〜０．８ミリであることを特徴とする請求項９に記載の毛髪付き頭皮。
【請求項１１】
前記皮層表面には防水膜が塗布されていることを特徴とする請求項９又は１０に記載の毛髪付き頭皮。
【請求項１２】
請求項９〜１１のいずれか一項に記載の毛髪付き頭皮の製造方法であって、
原料を所定比率にて調合してからその溶解温度までに加熱し、均一的な水溶性ゲルを作る工程と、
前記水溶性ゲルをモールドの表面に成型且つ乾燥させ、皮層の厚さが所定要求に満たすまで前記成型乾燥を繰り返す工程と、
皮層の表面に植毛してから、内側から毛根を整理する工程と
を備えたことを特徴とする毛髪付き頭皮の製造方法。
【請求項１３】
製作された皮層の表面に防水膜を塗布する工程を備えたことを特徴とする請求項１２に記載の毛髪付き頭皮の製造方法。
【請求項１４】
可溶性ゲルの調合は、組成物の加熱温度が５０〜８５℃の温度範囲で行なわれることを特徴とする請求項１２に記載の毛髪付き頭皮の製造方法。
【請求項１５】
前記毛根を整理する工程は、内側から毛根部を除去し、熱溶融性エマルションを塗布し、毛根を熱圧で平らにするステップを備えたことを特徴とする請求項１２に記載の毛髪付き頭皮の製造方法。
【請求項１６】
請求項９〜１１のいずれか一項に記載の毛髪付き頭皮と支持部材を備え、毛髪付き頭皮が支持部材の外側にセットされていることを特徴とする頭皮の交換できるマネキン頭。
【請求項１７】
前記支持部材は、人体頭部に造形されていることを特徴とする請求項１６に記載のマネキン頭。
【発明の詳細な説明】
【技術分野】
【０００１】
本発明は美髪道具あるいは教具に係り、詳しくは可溶性皮層と当該皮層を利用して製作した毛髪付き頭皮、及び当該皮層又は毛髪付き頭皮にて製作した頭皮の交換できるマネキン頭に関するものである。
【背景技術】
【０００２】
美容美髪のトレーニングにおいて、生徒に調髪技術を勉強させるために、通常、毛髪付きのマネキン頭を大量に提供する必要がある。このようなマネキン頭は、毛髪を直接にＰＶＣ（ポリ塩化ビニル）材料の皮層に植え込んでから、ＰＵ（ポリウレタン）等の発泡材料を注ぎ込むことによって一体に形成されたものである。美髪トレーニングには通常、髪形の変更および整えが含まれ、マネキン頭の「髪の毛」が短くカットされたり、まるごと剃られたりすると、マネキン頭が使えなくなってしまう。従来では、使用済みのマネキン頭は捨てられている。
【発明の開示】
【発明が解決しようとする課題】
【０００３】
マネキン頭の一回きりの使用は、資源を無駄にすると同時に、一体に形成されたマネキン頭の製造も高いコストを要する。また、マネキン頭を一回しか使わないため、大量な廃棄マネキン頭が生み出され、大量な高分子材料の廃棄による環境汚染を引き起こすおそれがある。また、これらの材料の処分とリサイクルにも多額な投資が必要となる。
【０００４】
こうした現状の中で、実施可能な方法を探り、マネキン頭の製造コストを低減し、マネキン頭の利用率を向上させることは、優れた経済効果と社会効果が期待される。
【課題を解決するための手段】
【０００５】
本発明は、先ず可溶性皮層を提供する。それは無毒な水溶性成分で作られ、使用後、水に直接溶かして廃棄され、環境に対する汚染が生じなく、水溶液もリサイクルできる。
前記可溶性皮層は、成膜材料、可塑剤、消泡剤と助溶剤を含有する組成物の水溶性ゲルを成形してなるものである。前記可溶性皮層自体は、化粧道具として利用され、あるいはその他の必要な場合に利用されてから、水に直接溶かして処分できる。その表面に植毛すれば、皮層の溶解できる毛髪付き頭皮になる。従って、本発明は、可溶性皮層の表面に植毛してなる毛髪付き頭皮も提供する。その頭皮は同様に水に溶かして処分でき且つリサイクルできる。
【０００６】
本発明は、さらに頭皮の交換できるマネキン頭を提供する。それは前記毛髪付き頭皮と支持部材を有し、美髪のトレーニング現場で組み合わせて利用される。つまり、毛髪付き頭皮を例えば人体頭部に造形された支持部材の外側にセットすることにより、完備なマネキン頭が形成される。使用後に頭皮を取り外して処分し、そして新しい頭皮を支持部材にセットすれば、引き続き使用できる。そのため、トレーニングのコストを低減できるとともに、環境保護にも有利である。
【発明を実施するための最良の形態】
【０００７】
本発明の可溶性皮層は、約６〜１０重量パーセントの成膜材料と、約０．６〜５．８重量パーセントの可塑剤と、約０．２〜０．８重量パーセントの消泡剤と約０．２〜１．２重量パーセントの助溶剤を備えた水溶性ゲルを用いて成形される。
【０００８】
前記組成に基づき、本発明は、成膜性と水溶性に優れた組成物を提供する。その組成物の比率が約３０〜８０重量パーセントになるように水と混合することによって、成膜性に優れた水溶性ゲルが得られる。前記原料において、その成膜材料は、ポリビニルアルコール、カルボキシメチルセルロース、酸化でんぷん等から選択され、それらの１種または多種の混合物を用いてもよい。可塑剤は、グリセリン、ポリエチレングリコール（平均分子量が２００〜５００である低分子量物質が好ましい）から選択される。消泡剤は、リン酸トリブチルまたはポリエチレングリコールから選択される。助溶剤は、主な原料の水溶性を向上させるために、例えばビニルトリス（β−メトキシエトキシ）シラン等のようなビニルシラン類カップリング剤を用いてもよい。なお、本発明に利用できる原料は、全て人体に害のない化学物質であるべきであり、化学工業の基本的な原料である。必要な場合、適量な香料と染料を添加してもよい。
【０００９】
本発明の最適な実施例により、水溶性ゲルを形成する組成とその重量比は、ポリビニルアルコール６．０〜８．０、水４０〜５０、グリセリン３．５〜５．０、リン酸トリブチル０．４〜０．６またはポリエチレングリコール０．２〜０．８、ビニルシラン０．６〜０．７であってもよい。
本発明の上記組成により、ポリビニルアルコールの最適なケン化度は８７％〜８９％であり、ポリエチレングリコールの最適な平均分子量範囲は２００〜５００である。また、ビニルシランは、ビニルトリス（β−メトキシエトキシ）シランであってもよい。
【００１０】
前記の組成では、ポリエチレングリコールは、同時に可塑剤と消泡剤の機能を備えている。当該物質を選択するとき、場合によってその使用量を上記範囲内において適切に調整してもよい。
可溶性皮層の製造方法には次の工程が含まれている。
・原料を所定比率にて調合してからその溶解温度までに加熱し、均一的な水溶性ゲルを製造する。
・前記水溶性ゲルをモールドの表面に成型させてから乾燥させる。
【００１１】
水溶性ゲルを調合する際、原料の特性に応じて、原料が溶解でき且つ均一的な状態になるよう適切な加熱温度を選ぶ必要がある。上記最適な組成物に対し、例えば、約５０〜８５℃までに加熱してもよい。
異なるニーズに応じて、製造されたゲルをモールドの表面に成型させてもよい。成膜材料の作用により、そのゲルはすぐ膜に成型されることができ、乾燥されてからモールドの表面からはがされると可溶性皮層が形成される。異なる要求により、皮層の厚さ及び強度が所定要求に満たすまで前記成型乾燥工程を複数回に繰り返してもよい。成型方法は、例えばブラシによる塗布、流し込みなどの如何なる実施可能な方法でもよい。ゲル膜を乾燥させモールドの表面から剥がしてから、乾燥ボックス内に入れて更に乾燥させてもよい。
上記方法を利用することによって、水に溶解できる皮層が容易に得られる。そして、その皮層の表面に植毛することにより毛髪付き頭皮が作られる。このような頭皮は使用後に水に溶かして処分される。
【００１２】
本発明のもう一つの目的は、毛髪付き頭皮と当該頭皮の交換できる毛髪付きマネキン頭を提供することにある。
実際の使用ニーズにより、毛髪付き頭皮の皮層の最適な厚さは約０．７〜０．８ミリに設定され、当該皮層の表面に適切な防水膜を塗布するのは最も望ましい。そして、その製造方法には次の工程が含まれている。
・原料を所定比率にて調合してからその溶解温度までに加熱し、均一的な水溶性ゲルを作る。
・前記水溶性ゲルをモールドの表面に成型且つ乾燥させ、皮層の厚さが所定要求に満たすまで前記操作を繰り返す。
・皮層の表面に植毛してから、内側から毛根を整理する。
【００１３】
前記最適な実施例に対し、可溶性ゲルを調合する時、組成物の加熱温度が約５０〜８５℃である。皮層の表面に植毛するため、植毛が完成した後、内側から毛根部を除去し、熱溶融性エマルションを塗布し、毛根を熱圧で平らにすることによって、内側から毛根を整理する必要がある。植毛する前に、予め皮層表面に防水膜を塗布してもよい。その防水膜の材料は特別に要求されず、例えば、ＰＵ（ポリウレタン）防水膜を塗布してもよい。
【００１４】
作られた毛髪付き頭皮が適切な支持部材にセットされることによりマネキン頭が形成され、髪形の整理などの技能トレーニングに利用できる。前記支持部材を人体頭部の造形にデザインし、適切に固定させることによって、通常に使用されているマネキン頭と全く同じ製品が形成される。
【００１５】
上述したように、従来技術に対する発明者の最大な貢献は、マネキン頭の頭皮を交換可能にしたことにより、マネキン頭の使用コストを低減し、環境保護問題を緩和することにある。しかも、本発明は経済的かつ実用的であり、普及されやすく、非常に明るい将来性を有している。
【００１６】
本発明によれば次のような有益な効果が得られる。
毛髪付きマネキン頭を使用して理髪授業を行う時、本発明におけるマネキン頭の交換可能な毛髪付き頭皮を専用頭骨あるいは普通のマネキン頭にセットし且つ連結部材にて固定すれば使用可能となる。毛髪が使い切った後に頭皮を取り外し、専用頭骨あるいは普通のマネキン頭に新しい毛髪付き頭皮をセットすれば、引き続き使用できる。頭皮は例えばポリビニルアルコールを主原料とした可溶性の成膜材料にて作られているため、使用済みの頭皮を水に入れるだけで水に溶解し、容易に処分でき、且つリサイクルできる。従来の一体型毛髪付きマネキン頭に比べ、頭骨材料を節約することができる。これによれば、資源を節約し、コストを低減することができるとともに、環境保護にも有利である。また、このような交換可能な頭皮は、運送と保存にも便利し、運送コストを低減することができる。
【００１７】
（実施例）
以下、具体的な実施例を用いて本発明を詳しく説明する。この説明は、本発明の効果をより良く理解させるものであり、本発明の実施範囲を制限するものではない。
【００１８】
第１実施例
可溶性皮層の原料組成（重量パーセント）は、ポリビニルアルコール（ケン化度は８７％〜８９％）７．５、水４５、グリセリン４．８、リン酸トリブチル０．６、ビニルトリス（β−メトキシエトキシ）シラン０．８である。
【００１９】
第２実施例
可溶性皮層の原料組成（重量パーセント）は、ポリビニルアルコール（ケン化度は８７％〜８９％又はカルボキシメチルセルロース６、水３５、グリセリン又はポリエチレングリコール３．０、ポリエチレングリコール０．６、ビニルトリス（β−メトキシエトキシ）シラン０．６である。
【００２０】
第３実施例
可溶性皮層の原料組成（重量パーセント）は、ポリビニルアルコール（ケン化度は８７％〜８９％）１０、水６０、グリセリン５．０、リン酸トリブチル０．８、ビニルトリス（β−メトキシエトキシ）シラン１．１である。
【００２１】
第４実施例
可溶性皮層の原料組成（重量パーセント）は、ポリビニルアルコール（ケン化度は８７％〜８９％）８、水４５、グリセリン１．０、リン酸トリブチル０．６、ビニルトリス（β−メトキシエトキシ）シラン０．３である。
【００２２】
第５実施例
可溶性皮層の原料組成（重量パーセント）は、ポリビニルアルコール（ケン化度は８７％〜８９％）４、カルボキシメチルセルロース２、水３５、ポリエチレングリコール３．５、ビニルトリス（β−メトキシエトキシ）シラン０．６である。
【００２３】
第６実施例
それぞれ第１，２，３，４，５実施例に述べられた比率に基づき、各種の原料を混合し、且つ少量な染料と香料を添加して混合してから、５０℃〜８０℃までに加熱し溶解させ、２〜２．５時間攪拌し、水溶性ゲルを形成する。形成された水溶性ゲルをモールドに注ぎ込んで成型させ、乾燥ボックス内で乾燥させる。この工程を複数回繰り返し、頭皮の厚さが０．７〜０．８ｍｍになってからその表面にＰＵ防水膜を塗布し、モールドから剥がす。通常の方法を利用して皮層の表面に植毛し、植毛が終わってから、頭皮をひっくり返し、バリカンにて毛根部を剃る。そして、毛髪を粘着させるようその表面に水溶性と熱溶融性を有するポリビニルアセテートエマルジョンを塗り、熱圧で毛髪を平らにすることで、図１に示すような毛髪付き頭皮が作られる。
【００２４】
第７実施例
第６実施例の毛髪付き頭皮を頭骨の外側にセットし、マネキン頭を作る。図２に示すように、前記頭皮の縁には、例えば糊付き、スナップ、連結釘のような如何なる公知手段を用いて頭骨２に固定される連結部材３を取り付ける。
【００２５】
前記マネキン頭の使用方法は、普通の製品と全く同じである。使用後に、連結部材を取り外してから、頭皮を剥がして水に入れる。そして、皮層が次第に溶解する。表層のＰＵ防水膜と散乱した毛髪とを除去する。水溶液が回収されリサイクルされる。頭骨２には新しい頭皮をセットすれば、引き続き使用できる。
【図面の簡単な説明】
【００２６】
【図１】本発明における毛髪付き頭皮の説明図である。
【図２】本発明のマネキン頭の組み合わせ状態の説明図である。
【符号の説明】
【００２７】
１…毛髪付き頭皮、２…頭骨（支持部材）、３…連結部材。
【図１】
2005530188.tif 000003
【図２】
2005530188.tif 000004
【国際調査報告】
2005530188.tif 000005
2005530188.tif 000006
2005530188.tif 000007
2005530188.tif 000008